(57)【要約】【課題】着席券や特急券のような特別券をＩＣカード（非接触券）を用いて予約できるようにする。【解決手段】利用者の所持するＩＣカードの識別情報を付加して着席券等の所定の特別券の予約情報を入力する入力機と、読取られたＩＣカードの識別情報に基づいて予約された予約情報を抽出し、その抽出された予約情報に基づいて着席券等の所定の特別券を発行する発行機とからなる。【選択図】      図３
2004341773.tif 000002
【特許請求の範囲】
【請求項１】
利用者の所持するＩＣカードの識別情報を付加して着席券等の所定の特別券の予約情報を入力する入力機と、
読取られたＩＣカードの識別情報に基づいて予約された予約情報を抽出し、その抽出された予約情報に基づいて着席券等の所定の特別券を発行する発行機と、
からなることを特徴とするＩＣカードを用いた発券システム。
【請求項２】
請求項１に記載のＩＣカードを用いた発券システムにおいて、入力機は、利用者の所持する携帯電話機やパーソナルコンピュータ等の情報端末機器であることを特徴とするＩＣカードを用いた発券システム。
【請求項３】
請求項１又は２に記載のＩＣカードを用いた発券システムにおいて、発行機は、自動券売機であることを特徴とするＩＣカードを用いた発券システム。
【請求項４】
請求項１〜３のいずれかに記載のＩＣカードを用いた発券システムにおいて、ＩＣカードは、非接触式自動改札機で用いられる非接触券であることを特徴とするＩＣカードを用いた発券システム。
【発明の詳細な説明】
【０００１】
【発明の属する技術分野】
本発明は、ＩＣカードを用いて着席券や特急券等の所定の特別券の予約を行うことができるとともに、その予約した所定の特別券を購入することのできるＩＣカードを用いた発券システムに関する。
【０００２】
【従来の技術】
近年、首都圏においては、利用者（旅客）の利便向上を図るために、定期券やＳＦカード（ストアードフェアカード）を無線通信機能を備えたＩＣカード、いわゆる非接触券とし、また、自動改札機をその非接触券を処理することのできる非接触式自動改札機として、入出場（入場又は出場を意味している。）が効率よく行えるようになってきている（特許文献１参照）。
【０００３】
【特許文献１】
特開２００３−６６８６号公報
【０００４】
【発明が解決しようとする課題】
ところで、上記非接触券は、その非接触券の発行の際、その非接触券の持主である利用者とその非接触券の識別情報とが鉄道会社の本社等の所定の中央に設置されているホストコンピュータからなる中央装置で一元的に管理され、また、その非接触券の使用状態も一元的に管理されているので、その非接触券を利用した一層のサービス向上が望まれていた。そのサービスの一つとしては、非接触券を着席券や特急券等の所定の特別券の予約券とすることが考えられている。
【０００５】
そこで、本発明は、上記要望に応えるためになされたものであって、その目的は、ＩＣカードを着席券や特急券等の所定の特別券の予約券とすることのできるＩＣカードを用いた発券システムを提供することにある。
【０００６】
【課題を解決するための手段】
本発明に係るＩＣカードを用いた発券システムは、上記目的を達成するために、請求項１に記載の発明は、利用者の所持するＩＣカードの識別情報を付加して着席券等の所定の特別券の予約情報を入力する入力機と、読取られたＩＣカードの識別情報に基づいて予約された予約情報を抽出し、その抽出された予約情報に基づいて着席券等の所定の特別券を発行する発行機と、からなることを特徴としている。
本発明の請求項２に記載のＩＣカードを用いた発券システムは、入力機は、利用者の所持する携帯電話機やパーソナルコンピュータ等の情報端末機器であることを特徴としている。
本発明の請求項３に記載のＩＣカードを用いた発券システムは、発行機は、自動券売機であることを特徴としている。
本発明の請求項４に記載のＩＣカードを用いた発券システムは、ＩＣカードは、非接触式自動改札機で用いられる非接触券であることを特徴としている。
【０００７】
【発明の実施の形態】
以下、本発明の実施の形態を図面に基づいて説明する。図１は、一実施の形態に係るＩＣカードを用いた発券システムの概略構成図である。なお、ここでは、本発明に係るＩＣカードを無線機能を備えたＩＣカードからなる図示しない非接触式自動改札機で使用される非接触券Ｃとして説明する。
【０００８】
図１中、Ｐは、本発明の入力機に相当するもので、非接触券Ｃを所持する利用者のパーソナルコンピュータ（パソコン）であり、通信回線Ｌを介して鉄道会社の本社等の所定の中央に設けられているホストコンピュータからなる中央装置Ｈと通信ができるように構成されている。また、Ｋも、本発明の入力機に相当し、非接触券Ｃを所持する利用者の携帯電話機（ＰＨＳも含む。）であって、基地局Ｄを介して上記中央装置Ｈと通信ができるように構成されている。なお、本発明では、上記パソコンＰ又は携帯電話機は、利用者自身が所有するものに限らず、その利用者の友人や知人等の所持するもの、いわゆる利用者が利用可能なものであれば含まれる。また、入力機としては、上述以外に、利用者が利用でき、かつ、後述する予約情報の入力できるＰＤＡ等の他の情報端末機器とすることもできる。
【０００９】
図１中、ａは、駅に設置される自動券売機であり、ここでは、利用者自身が操作する自動券売機として示されている。この自動券売機ａは、図２に示されるように、メモリ１に記憶されているシステムプログラムデータ及びワーキングデータを基に所定の演算処理を行うワーキングデータを基に所定の演算処理を行う中央処理部（ＣＰＵ）２を有している。そして、このＣＰＵ２には、自動券売機ａの接客面に設けられているタッチパネルや釦群からなる入力ユニット３と、本発明に係る特別券及び自動券売機ａから通常発行される乗車券を印字し、かつ、所定のデータを書込んで発行する発券ユニット４と、自動券売機ａに投入された特別券や乗車券の購入のための金銭を検銭し、必要に応じて釣り銭を排出する金銭処理ユニット５と、中央装置Ｈと通信回線Ｌを介して通信を行うための通信制御部６と、自動券売機ａの図示しない挿入口に挿入された非接触券Ｃに記録されているデータを非接触で読取るとともに、その非接触券Ｃに非接触でデータを書込むための、アンテナ７ａを備えたリーダライタ７とが接続されている。なお、購入金額をプリペイドカード等のカード類で支払うことができるように運用されているときは、ＣＰＵ２には、カード処理ユニットも接続される。また、このＣＰＵ２には、係員処理ユニット等も接続されているが、ここでは省略されている。
【００１０】
非接触券Ｃは、周知の非接触式自動改札機で使用されるもので無線機能を備えたＩＣカードから構成されている。すなわち、この非接触券Ｃは、図２に示されるように、自動券売機ａ側と通信を行うためのアンテナ１０ａを備えた通信制御部１０と、非接触券Ｃを統括的に制御するＣＰＵ１１と、所定のカードデータを記憶するメモリ１２と、自動券売機ａのアンテナ７ａから送出される電力波を受信して非接触券Ｃの駆動電力を生成する電力生成回路１３とが設けられている。
【００１１】
上記メモリ１２に記憶されるカードデータとしては、非接触券Ｃの識別情報（ＩＤＮｏ．  がＩＤＮｏ．  記憶部ｍ１  に記憶されている以外に、そのメモリ１２の定期券データ記憶部ｍ２  には、所定の定期券データが記憶され、また、そのメモリ１２のＳＦデータ記憶部ｍ３  には、ＳＦデータ（残額データ）が記憶されている。
【００１２】
上記中央装置Ｈは、通信回線Ｌを介して自動券売機ａと接続されている。そして、この中央装置ＨのメモリＭには、入力機（パソコンＰ、携帯電話機Ｋ…）から入力された特別券の予約情報が非接触券ＣのＩＤＮｏ．  と対応した形で記憶されるように構成されている（図１参照）。
【００１３】
以下、図３（ａ）のフローチャートを用いて入力機側の制御動作について説明する。今、利用者が所定の着席券を予約しようとし、携帯電話機Ｋを用いて中央装置Ｈと通信を開始したとする（ステップ１００肯定。以下、ステップを「Ｓ」とする。）。そして、その携帯電話機Ｋと中央装置Ｈとの間の通信が成立し、携帯電機Ｋの所定の操作によりその通信内容が着席券の予約モードに設定されると携帯電話機Ｋからの予約情報の入力が可能となる（Ｓ１０２肯定）。
【００１４】
上述のように、携帯電話機Ｋからの入力が可能になると、その携帯電話機Ｋから利用者の所持する非接触券ＣのＩＤＮｏ．  及び希望する着席券の内容（乗車日，列車名…）が入力される（Ｓ１０４）。そして、入力された予約内容で着席券の予約が成立すると（Ｓ１０６肯定）、その予約の成立した着席券の内容が携帯電話機Ｋのメモリ（図示せず）に記憶されるとともに、中央装置ＨのメモリＭにも記憶される（Ｓ１０８）。したがって、利用者は、いつでもその予約内容を携帯電話機Ｋを用いて見ることができる。なお、上述の例では、入力機を携帯電話機Ｋとしたが、利用者のパソコンＰとすることもでき、その他の情報端末機器とすることもできる。
【００１５】
図３（ｂ）は、自動券売機ａの制御動作を示すフローチャートである。利用者によって入力ユニット２２を介して自動券売機ａが特別券発行モードに設定され、さらに、非接触券Ｃが自動券売機ａの図示しない挿入口に挿入されると、その非接触券Ｃと自動券売機ａとの間の通信が開始されて非接触券Ｃのメモリ１２に記憶されているデータが自動券売機ａ（ＣＰＵ２１）により読取られる（Ｓ２００肯定、Ｓ２０２）。なお、自動券売機ａの特別券発行モードの設定は、自動券売機ａの挿入口に非接触券Ｃを挿入したときに自動的に行うようにすることもできる。
【００１６】
自動券売機ａの読取りにおいて非接触券Ｃが有効券と判定され、その非接触券Ｃのメモリ１２のＩＤＮｏ．  データ記憶部ｍ１  に記憶されている非接触券ＣのＩＤＮｏ．  が抽出される。そして、非接触券ＣのＩＤＮｏ．  が抽出されると、自動券売機ａと中央装置Ｈとの間の通信が行われて、その抽出されたＩＤＮｏ．  に係る中央装置ＨのメモリＭの予約情報が選択される（Ｓ２０４肯定）。そして、その選択された予約内容の着席券の購入金額を満たす金銭が投入されると（Ｓ２０６肯定）、予約されていた着席券が発券ユニット４を介して生成されて発行される。また、着席券が発行されたことが通信回線Ｌを介して中央装置Ｈに送信されてその中央装置ＨのメモリＭに記憶されているデータがクリアされる。非接触券Ｃに対する一連の処理が終了すると、非接触券Ｃは、利用者へ返却される（Ｓ２０８）。着席券の発行を受けた利用者は、その着席券を用いて列車（電車）に乗車することができる。
【００１７】
なお、上述の例では、特別券を着席券としたが、特急券等の他の特別券であってもよいことはもちろんである。また、上述の例では、非接触券ＣのＩＤＮｏ．  が抽出されたときに、自動券売機ａと中央装置Ｈとの交信を行うようにしたが、中央装置Ｈに予約されているデータを予め自動券売機ａにダウンロードしておくようにしてもよい。
【００１８】
【発明の効果】
本発明の請求項１に記載のＩＣカードを用いた発券システムは、利用者の所持するＩＣカードの識別情報を付加して着席券等の所定の特別券の予約情報を入力する入力機と、読取られたＩＣカードの識別情報に基づいて予約された予約情報を抽出し、その抽出された予約情報に基づいて着席券等の所定の特別券を発行する発行機とからなるので、利用者の所持するＩＣカードを利用して着席券等の特別券の予約を行うことができる。
本発明の請求項２に記載のＩＣカードを用いた発券システムは、入力機を利用者の所持する携帯電話機やパーソナルコンピュータ等の情報端末機器としたので、利用者の所持する情報端末機器を用いて容易に特別券の予約を行うことができる。
本発明の請求項３に記載のＩＣカードを用いた発券システムは、発行機を自動券売機としたので、予約されている特別券を自動券売機を用いて発行することができる。
本発明の請求項４に記載のＩＣカードを用いた発券システムは、ＩＣカードを非接触式自動改札機で用いられる非接触券としたので、非接触式自動改札機で使用されている非接触券をそのまま利用することができる。
【図面の簡単な説明】
【図１】本発明の一実施の形態に係るＩＣカードを用いた発行システムの概略構成図である。
【図２】自動券売機及びＩＣカードのブロック図である。
【図３】制御動作を示すブロック図である。
【符号の説明】
Ｐ  パーソナルコンピュータ（パソコン，入力機）
Ｋ  携帯電話機（入力機）
Ｄ  基地局
ａ      券売機
Ｈ      中央装置
Ｌ      通信回路
Ｃ      ＩＣカード（非接触券）
【図１】
2004341773.tif 000003
【図２】
2004341773.tif 000004
【図３】
2004341773.tif 000005